(57)【特許請求の範囲】
【請求項１】
複数の電話機が接続される複数のポートを有する電話機接続手段と、
前記電話機接続手段の各ポートに接続され通信路を介して通話を行うための複数の電話機と、
発信者番号、暗証番号及び前記ポートの番号を対応付けた識別情報を記憶する識別情報記憶手段と、
着信時に前記通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する許可手段とを備えて成ることを特徴とする通信制御システム。
【請求項２】
前記許可手段は、着信時に受信した前記発信者番号に対応付けたポートに接続された電話機に着信を通知する個別電話機着信通知手段と、前記着信応答時に入力された暗証番号及び着信に応答した前記電話機のポートの番号が、前記識別情報記憶手段に記憶した前記発信者番号に対応付けた暗証番号及びポートの番号に一致するとき、該電話機に通話を許可する通話許可手段とを備えて成ることを特徴とする請求項１記載の通信制御システム。
【請求項３】
情報通信端末を備え、前記着信応答時に入力される暗証番号は、前記情報通信端末から入力されることを特徴とする請求項１又は２記載の通信制御システム。
【請求項４】
複数の電話機が接続される複数のポートを有する電話機接続手段と、
発信者番号、暗証番号及び前記ポートの番号を対応付けた識別情報を記憶する識別情報記憶手段と、
着信時に通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する許可手段とを備えて成ることを特徴とする通信制御装置。
【請求項５】
前記許可手段は、着信時に受信した前記発信者番号に対応付けたポートに接続された電話機に着信を通知する個別電話機着信通知手段と、前記着信応答時に入力された暗証番号及び着信に応答した前記電話機のポートの番号が、前記識別情報記憶手段に記憶した前記発信者番号に対応付けた暗証番号及びポートの番号に一致するとき、該電話機に通話を許可する通話許可手段とを備えて成ることを特徴とする請求項４記載の通信制御装置。
【発明の詳細な説明】
【０００１】
【発明の属する技術分野】
本発明は、着信時に、特定の者に対して通信を可能にする通信制御システム及び前記通信制御システムに使用する通信制御装置に関する。
【０００２】
【従来の技術】
従来から、ＩＳＤＮ（Integrated Services Digital Network）を使用した通信において、発信者の電話番号を表す発信者番号を利用した通信制御システムが開発されている（例えば、特開２０００−２５３１１０号公報、特開２０００−２７００５２号公報参照。）。
発信者番号の利用態様として、予め発信者番号に対応付けて暗証番号を設定し、発信者が前記暗証番号と電話番号をダイヤルすることにより、着信側にも設定された発信者側と同じ暗証番号と一致したときのみ着信可能にしたものがある。
【０００３】
これにより、特定の者のみが通信を行うことが可能になる。
しかしながら、前記システムでは、着信側のみならず発信者側にも暗証番号の設定が必要であるため、操作性が悪いという問題がある。
前記特開２０００−２７００５２号公報に記載された発明は、前記問題を解決することが可能であり、着信側にのみ暗証番号を設定すればよいため操作性に優れるという利点を有している。
【０００４】
【発明が解決しようとする課題】
しかしながら、前記公開特許公報に記載された発明では、着信側には１台の電話機を接続する構成しか開示されておらず、着信側で複数の電話機を使用するようなことは想定されていない。
【０００５】
本発明は、着信側に複数の電話機を接続して使用可能にすると共に、簡単な操作で、特定の者が通信できるようにした通信制御システムを提供することを課題としている。
また、本発明は、着信側に複数の電話機を接続して使用可能にすると共に、簡単な操作で、特定の者が通信できるようにした通信制御装置を提供することを課題としている。
【０００６】
【課題を解決するための手段】
本発明によれば、複数の電話機が接続される複数のポートを有する電話機接続手段と、前記電話機接続手段の各ポートに接続され通信路を介して通話を行うための複数の電話機と、発信者番号、暗証番号及び前記ポートの番号を対応付けた識別情報を記憶する識別情報記憶手段と、着信時に前記通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する許可手段とを備えて成ることを特徴とする通信制御システムが提供される。許可手段は、着信時に通信路を介して受信した発信者番号に対応付けて識別情報記憶手段に記憶した暗証番号及びポートの番号が、着信応答時に入力された暗証番号及び着信に応答した電話機のポートの番号に一致するとき、当該電話機に通話を許可する。
【０００７】
ここで、前記許可手段は、着信時に受信した前記発信者番号に対応付けたポートに接続された電話機に着信を通知する個別電話機着信通知手段と、前記着信応答時に入力された暗証番号及び着信に応答した前記電話機のポートの番号が、前記識別情報記憶手段に記憶した前記発信者番号に対応付けた暗証番号及びポートの番号に一致するとき、該電話機に通話を許可する通話許可手段とを備えて成るように構成してもよい。
【０００８】
また、前記許可手段は、着信時に前記電話機接続手段の各ポートに接続された全ての電話機に着信を通知する全電話機着信通知手段と、前記着信応答時に入力された暗証番号及び着信に応答した前記電話機のポートの番号が、前記識別情報記憶手段に記憶され前記発信者番号に対応付けられた暗証番号及びポートの番号に一致するとき、該電話機に通話を許可する通話許可手段とを備えて成るように構成してもよい。
また、前記着信応答時に入力される暗証番号は、着信に応答する前記電話機から入力されるように構成してもよい。
また、情報通信端末を備え、前記着信応答時に入力される暗証番号は、前記情報通信端末から入力されるように構成してもよい。
【０００９】
また、本発明によれば、複数の電話機が接続される複数のポートを有する電話機接続手段と、発信者番号、暗証番号及び前記ポートの番号を対応付けた識別情報を記憶する識別情報記憶手段と、着信時に通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する許可手段とを備えて成ることを特徴とする通信制御装置が提供される。許可手段は、着信時に通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する。
【００１０】
ここで、前記許可手段は、着信時に受信した前記発信者番号に対応付けたポートに接続された電話機に着信を通知する個別電話機着信通知手段と、前記着信応答時に入力された暗証番号及び着信に応答した前記電話機のポートの番号が、前記識別情報記憶手段に記憶した前記発信者番号に対応付けた暗証番号及びポートの番号に一致するとき、該電話機に通話を許可する通話許可手段とを備えて成るように構成してもよい。
【００１１】
また、前記許可手段は、着信時に前記電話機接続手段の各ポートに接続された全ての電話機に着信を通知する全電話機着信通知手段と、前記着信応答時に入力された暗証番号及び着信に応答した前記電話機のポートの番号が、前記識別情報記憶手段に記憶され前記発信者番号に対応付けられた暗証番号及びポートの番号に一致するとき、該電話機に通話を許可する通話許可手段とを備えて成るように構成してもよい。
また、前記着信応答時に入力される暗証番号は、着信に応答する前記電話機から入力されるように構成してもよい。
【００１２】
【発明の実施の形態】
以下、図面を参照して、本発明の実施の形態に係る通信制御システム及び通信制御装置について説明する。
図１は、本発明の第１の実施の形態に係る通信制御システムのブロック図で、ＩＳＤＮで使用するＩＳＤＮ通信制御システムの例を示している。
図１において、通信制御システムは、複数の電話機１ａ、１ｎ、ＩＳＤＮ通信制御装置２を備えている。
通信制御装置２は、複数の電話機１ａ、１ｎとＩＳＤＮ網との間に接続されている。
【００１３】
先ず、本第１の実施の形態の動作を概略説明すると、各電話機１ａ、１ｎからのＰＢ（Push-Button dialing）信号による暗証番号は、複数の電話機接続ポートを有する電話機接続手段としてのインタフェース（Ｉ／Ｆ）部３を介してＰＢ信号インタフェース（Ｉ／Ｆ）部４に送出され、制御部５のＰＢ信号分析部５１に通知される。ここで、制御部５は許可手段を構成している。
ＰＢ信号分析部５１は、ＰＢ信号中の暗証番号、暗証番号を入力した電話機が接続されたポート番号を分析する。通話中の相手の発信者番号は発信者番号記憶部５３に記憶され、又、参照部５２にて、暗証番号、発信者番号及び暗証番号を入力した電話機１ａ、１ｎが接続されているインタフェース部３のポートの番号を対応付けて、識別情報記憶手段としてのメモリ７に格納される。ここで、参照部５２は、通話許可手段、個別電話機着信通知手段を構成している。また、各々対応付けられた前記暗証番号、発信者番号及びポート番号は識別情報を構成している。
【００１４】
発信者番号記憶部５３は、ＩＳＤＮインタフェース（Ｉ／Ｆ）部６を介して、ＩＳＤＮ網に接続されている。各電話機１ａ、１ｎからの音声は、音声経路８を通ってＩＳＤＮインタフェース部６を通じてＩＳＤＮ網に送出される。
ＩＳＤＮ網からの着信時には、発信元の発信者番号がＩＳＤＮインタフェース部６を介して、発信者番号記憶部５３に通知され、該発信者番号は発信者番号記憶部５３に記憶される。暗証番号を設定した回線の場合、参照部５２は、インタフェース部３に認証経路１０を介して通知する。
【００１５】
この時、インタフェース部３に接続された電話機１ａ、１ｎがナンバーディスプレイ対応機の場合、電話機１ａ、１ｎに発信者番号が表示されるため、制御部５は電話機１ａ、１ｎに発信者番号を表示しないように制御する。設定された暗証番号を電話機１ａ、１ｎからＰＢ信号で入力すると、インタフェース部３を介してＰＢ信号インタフェース部４に通知され、ＰＢ信号分析部５１にて暗証番号及び着信に応答した電話機のポートの番号を抽出し、また着信した電話の発信者番号に対応付けた暗証番号及び前記暗証番号に対応付けたポート番号をメモリ７から読み出し、参照部５２にて前記暗証番号とポート番号を照合する。参照部５２は、通話許可の（前記暗証番号とポート番号が一致する）場合、認定経路１０を介してインタフェース部３に通話を許可するための通話許可通知を通知し、許可された電話機１ａ、１ｎにて通話できるようになる。ここで、参照部５２は通話許可手段を構成している。
【００１６】
図２は、図１の実施の形態に係る通信制御システムの動作を示すフローチャートであり、発信元の発信者番号、暗証番号及び各電話機１ａ、１ｎが接続されたインタフェース部３のポート番号を対応付けて記憶する場合の処理を示している。
以下、図１及び図２を用いて、発信元の発信者番号と暗証番号と着信応答可能な電話機のポート番号とを対応付けて記憶する場合の処理を説明する。
【００１７】
図２において、発信元（通話相手）と通話中に、通話中の電話機（例えば電話機１ａ）から所定の操作ボタン（たとえば、「＊」）を操作することにより、予め定めたＰＢ信号を入力する。この「＊」の後に、暗証番号とする決められた桁数の番号を電話機１ａの操作ボタンから入力する（ステップＳ２０１）。
インタフェース部３は、予め定められているＰＢ信号（本第１の実施の形態では操作ボタン「＊」の操作によるＰＢ信号）を受信すると（図２のステップＳ２０２）、ＰＢ信号インタフェース部４に、「＊」、「＊」に続く前記暗証番号及び通話中の電話機１ａが接続されているインタフェース部３のポート番号を一緒に送出する。
【００１８】
ＰＢ信号インタフェース４は、受信した一連の前記ＰＢ信号「＊」、暗証番号及びポート番号を制御部５に出力する。
ＰＢ信号分析部５１は、受信した信号に含まれる「＊」に対応する先頭の前記ＰＢ信を削除し、予め定められた桁数の前記暗証番号及びポート番号を抽出して参照部５２に送る（ステップＳ２０３）。
一方、通話相手の電話番号（発信者番号）は、ＩＳＤＮインタフェース部６を通じて、発信者番号記憶部５３に格納される。
【００１９】
参照部５２に前記暗証番号及びポート番号が入力されたとき、発信者番号記憶部５３に記憶されている通話中の相手の発信者番号が参照部５２に通知される。参照部５２は、参照部５２に入力された前記暗証番号及びポート番号と発信者番号記憶部５３より送られた発信者番号とを対応付けて（ステップＳ２０４）、メモリ７に格納する（ステップＳ２０５）。このとき、前記暗証番号及びポート番号が設定された発信者番号は発信者番号記憶部５３にも記憶保存される。
【００２０】
図３は、図１の実施の形態に係る通信制御システムの動作を示すフローチャートであり、通信制御装置２に着信があった場合の処理を示している。
図１及び図３を用いて、通話相手から着信が有った場合の処理を詳細に説明する。
ＩＳＤＮ網からの着信があった場合（ステップＳ３０１）、発信元の発信者番号がＩＳＤＮ網からＩＳＤＮインタフェース部６に通知される。発信者番号記憶部５３はインタフェース部６に通知された前記発信元の発信者番号を記憶する。
【００２１】
参照部５２はメモリ７に記憶した識別情報を参照して、発信者番号記憶部５３に記憶した前記発信者番号、即ち、ＩＳＤＮインタフェース部６が受信した前記発信者番号が、暗証番号及びポート番号を対応付けて既に設定済みの発信者番号か否かを判断する（ステップＳ３０２）。参照部５２は、メモリ７に前記発信者番号が記憶されている場合には、既に設定済みの発信者番号と判断し又、メモリ７に前記発信者番号が記憶されていない場合には、未設定の発信者番号と判断する。
一方、ＩＳＤＮインタフェース部６への着信は、音声経路８を介してインタフェース部３に送られる。
【００２２】
暗証番号を設定していない回線の着信の場合には、インタフェース部３は通常の着信のように処理して、インターフェース部３に接続されている全ての電話機１ａ、１ｎを呼び出す（ステップＳ３０７）。これにより、インタフェース部３に接続された全ての電話機１ａ、１ｎのリンガが鳴動し、電話機１ａ、１ｎのいずれかをオフフックすると、該電話機を使用して通常の通話を行うことが可能になる（ステップＳ３０８）。このようにして、発信者番号が設定されていない回線からの着信の場合には、いずれの電話機１ａ、１ｎを使用しても又、いずれの使用者も通話を行うことが可能になる。
【００２３】
ステップＳ３０２において、参照部５２がメモリ７を参照して、受信した前記発信者番号が既に設定された発信者番号であると判断した場合、参照部５２は、インタフェース部３に対して既設番号着信通知を通知することにより、暗証番号が設定されている回線からの着信が来たことを認証経路１０を通って通知する。前記既設番号着信通知には、前記発信元の発信者番号に対応付けられたポート番号が含まれている。
インタフェース部３は、前記既設番号着信通知を受信して、前記既設番号着信通知に含まれるポート番号の電話機（着信対象の電話機）のリンガを鳴動させることによって呼び出す（ステップＳ３０３）。
【００２４】
このとき、インタフェース部３接続された電話機１ａ、１ｎがナンバーディスプレイ対応機の場合、着信対象の電話機、例えば、電話機１ａに発信者番号が表示されてしまうため、制御部５は着信対象の電話機１ａに発信者番号を表示しないようにする。
ステップＳ３０３において、インタフェース部３は接続対象の電話機１ａのリンガを鳴動させるが、電話機１ａをオフフックしても通話は出来ず、その時に電話機１ａから暗証番号をＰＢ信号で入力する。つまり、電話機１ａから操作ボタン「＊」の操作によって生じるＰＢ信号「＊」等、予め定めたＰＢ信号に続いて既に設定した暗証番号をＰＢ信号で電話機１ａから入力する（ステップＳ３０４）。
【００２５】
インタフェース部３は、予め決められている「＊」などのＰＢ信号を検出すると、ＰＢ信号インタフェース部４に対して、接続対象の電話機１ａから入力された前記ＰＢ信号とそれに続く前記暗証番号及び着信に応答した電話機１ａのポート番号を送出する。
前記ＰＢ信号、前記ＰＢ信号による暗証番号及び前記ポート番号は、ＰＢ信号インタフェース部４を介してＰＢ信号分析部５１に送られる。ＰＢ信号解析部５１は、インタフェース部４から受信した信号から先頭のＰＢ信号「＊」を削除して暗証番号及びポート番号を抽出し、入力された暗証番号のみを参照部５２に送る。
【００２６】
参照部５２は、前記発信元の発信者番号に対応する暗証番号及びポート番号をメモリ７から読み出して、該暗証番号及びポート番号と、ＰＢ信号分析部５１から入力された暗証番号及びポート番号とを照合する（ステップＳ３０５）。
参照部５２は、接続対象の電話機１ａから入力された暗証番号及び電話機１ａのポート番号とメモリ７に記憶されていた暗証番号及びポート番号が一致しているか否かを判断し（ステップＳ３０６）、一致している場合には、「通話許可」を認証経路１０を通じてインタフェース部３に出力する。ステップＳ０６は通話許可手段を構成している。
インタフェース部３は、前記通話許可を受信すると（ステップＳ３０７）、電話機１ａのオフフックを認識して、電話機の通話を可能にする（ステップＳ３０８）。
【００２７】
一方、ステップＳ３０６において、暗証番号が一致しなかった場合、電話機１ａに対して再度暗証番号を入力するよう促し（ステップＳ３０９）、予め定めた所定回数以内に正規の暗証番号が入力されなかった場合には、着信を切断する（ステップＳ３１０）。このとき、電話機１ａをオフフックして暗証番号を入力するので、暗証番号が一致しなかった時など、電話機１ａの操作者は入力した暗証番号が誤った暗証番号であることが、制御部５からの再入力指示を、ＰＢ信号によって判別できるため、入力し直しを直ちに行う事ができる。
【００２８】
暗証番号を登録した回線が複数ある場合、その電話番号を電話帳のように記録することもできる。電話帳を使用する場合、例えば、各々異なる暗証番号を各電話番号に付けた時、着信の際どの番号が着信したかわからない。そこで電話番号を各電話機１ａ、１ｎに表示する代わりに電話帳と対応する数字を各電話機１ａ、１ｎに表示させる。例えば、各電話機１ａ、１ｎが有する表示部に、電話帳の登録順に１、２、３、・・・と表示させるようにしてもよい。電話帳についても機密が守られるよう暗証番号でロックしておく必要がある。
【００２９】
以上のように、着信側に複数の電話機を接続して使用した場合に、特定のポートに接続された電話機を使用して、且つ、暗証番号を知っている使用者のみが着信に応答して通話を行うことができる。
また、通話中に暗証番号を設定することにより、暗証番号を設定した回線の次からの着信は、暗証番号を入力しないと接続されないため、着信側の通話者を特定することが出来る。また、回線数は一回線に限らず複数回線設定できる。
したがって、他人に知られたくない相手からの電話等の場合に機密を守ることが可能になる。また、簡単な操作で、特定の者のみが通話を行うように設定することが可能になる。
尚、本第１の実施の形態では、着信があったときに、発信元の発信者番号に対応付けた暗証番号及びポート番号を照合するように構成したが、インタフェース部３からはポート番号は出力しないように構成すると共に、ステップＳ３０５において暗証番号のみを照合するように構成してもよい。この場合にも、暗証番号を設定した電話機のみを呼び出すように構成しており、前記呼び出された電話機のみが使用可能になるため、使用する電話機を特定することが可能になる。
【００３０】
次に、本発明の第２の実施の形態について説明する。
図４は、本発明の第２の実施の形態に係る通信端末装置のブロック図で、ＩＳＤＮで使用する通信制御システムの例を示している。尚、図４において、図１と同一部分には同一符号を付している。
本第２の実施の形態では情報通信端末１１を備えており、各電話機１ａ、１ｎのみならず、情報通信端末装置１１からも暗証番号を設定できるように構成している。また、前記第１の実施の形態では通話中に暗証番号を設定したが、本第２の実施の形態では通話終了後にも暗証番号を設定することができるように構成している。また、前記第１の実施の形態では暗証番号等に対応付けたポート番号を使用して、前記ポート番号に接続した電話機から所定の暗証番号が入力された場合に該電話機に通話を許可するように構成したが、本第２の実施の形態ではポート番号は使用しないように構成している。即ち、暗証番号が一致すれば、どの電話機も通話を行うことができるように構成している。
【００３１】
発信元の発信者番号は発信者番号記憶部５３に蓄積されているので、各電話機１ａ、１ｎを操作することによって暗証番号を設定したい発信者番号を選択し、電話機１ａ、１ｎから暗証番号を入力する。電話機１ａ、１ｂから暗証番号を入力する手順は、前記第１の実施の形態と同様で、電話機１ａ、１ｂの予め定めた操作部（例えば、操作ボタン「＊」）の操作によって発生するＰＢ信号の後に、予め定めた桁数の暗証番号を入力する。前記発信者番号及び該発信者番号に対応付けた前記暗証番号がメモリ７に記憶される。
【００３２】
また、予め暗証番号を設定したい発信者番号が分かっている場合、着信を待つまでもなく先に暗証番号を設定しておくこともできる。例えば、各電話機１ａ、１ｂの操作部を操作して複数のＰＢ信号を入力することにより、暗証番号を設定したい発信者番号及び該発信者番号に対応付ける暗証番号を入力する。電話機１ａ、１ｂから入力された前記発信者番号は発信者番号記憶部５３に記憶され又、前記発信者番号及び該発信者番号に対応付けた前記暗証番号がメモリ７に記憶される。
【００３３】
また、本第２の実施の形態では、着信があると、全ての電話機１ａ、１ｂを呼び出す。この場合、暗証番号設定済みの発信者番号の着信があった場合、いずれかの電話機１ａ、１ｂから暗証番号を入力すれば通話が可能になる。
以下、図１及び図４を参照して、本第２の実施の形態の動作を詳細に説明する。
通信制御装置２に、コンピュータ等の情報通信端末１１が接続できるようにシリアルデータインタフェース部１２を設ける。ＩＳＤＮ通信制御装置２には通話中の回線に暗証番号を設定／照合するソフトウェアを内蔵させる。
【００３４】
先ず、通話中に、発信者番号に対応付けて暗証番号を設定する際の動作を説明する。
ＩＳＤＮ網を使って通話中、情報通信端末１１から暗証番号を入力する。
前記暗証番号は情報通信端末１１から、シリアルデータインタフェース（Ｉ／Ｆ）部１２を介して、制御部５のシリアルデータ分析部１３へ送出される。シリアルデータ分析部１３は前記暗証番号を受信して参照部５２に送出する。
通話相手（発信元）の発信者番号は、ＩＳＤＮインタフェース部６を介して発信者番号記憶部５３に格納される。
【００３５】
参照部５２に暗証番号が入力されたとき、発信者番号記憶部５３に記憶されている通話中の発信者番号が参照部５２に通知される。
参照部５２は、情報通信端末１１より入力された暗証番号と発信者番号記憶部５３より送られた発信者番号とを対応付けて、メモリ７に格納する。このとき、暗証番号が設定された発信者番号は発信者番号記憶部５３にも記憶される。
前記一連の処理により、通話中に、発信者番号に対応付けて暗証番号の設定が行われる。
【００３６】
次に、非通話中に、発信者番号に対応付けて暗証番号を設定する際の動作を説明する。
今までに着信した発信者番号（電話番号）は発信者番号記憶部５３に蓄積されているので、電話機１ａ又は電話機１ｎ（電話機１ａ及び電話機１ｎのいずれからも暗証番号の設定は可能であるが、以下、便宜上、電話機１ａを用い手暗証番号の設定を行うものとして説明する。）を操作することによって暗証番号を設定したい発信者番号（電話番号）を選択し、電話機１ａから暗証番号を入力する。
暗証番号の入力手順は、前記第１の実施の形態と同様で、電話機１ａの予め定めた操作部（例えば、操作ボタン「＊」）の操作によって発生するＰＢ信号の後に、予め定めた桁数の暗証番号を入力する。
【００３７】
また、予め暗証番号を設定したい発信者番号が分かっている場合、着信を待つまでもなく先に暗証番号を設定しておくこともできる。例えば、電話機１ａの操作部を操作して複数のＰＢ信号を入力することにより、暗証番号を設定したい発信者番号及び該発信者番号に対応付ける暗証番号を入力する。
電話機１ａから入力された前記発信者番号は発信者番号記憶部５３に記憶され又、前記発信者番号及び該暗証番号に対応付けて前記暗証番号がメモリ７に記憶される。
前記一連の処理により、非通話中に、発信者番号に対応付けて暗証番号の設定が行われる。
【００３８】
本第２の実施の形態においても、前記発信者番号の着信があった場合、前記第１の実施の形態のように暗証番号を入力しないと通話が出来ないようになる。但し、ポート番号は使用していないため、複数の電話機１ａ、１ｎのうち、いずれの電話機から暗証番号を入力しても、該電話機を使用して通話を行うことが可能になる。
また、前記第１の実施の形態では、電話機１ａ、１ｎから暗証番号を入力するように構成したが、本第２の実施の形態では、ＩＳＤＮ通信端末２から暗証番号を入力できるように構成している。
【００３９】
以上のようにして、発信者番号に対応付けて暗証番号が設定され状態で、ＩＳＤＮ網を介して着信があると、制御部５は、暗証番号が設定してある回線からの着信の場合には、接続されている全ての電話機１ａ、１ｎのリンガを鳴動させ全ての電話機が呼び出すが、いずれの電話機１ａ、１ｎをオフフックしたのみでは通話は出来ない。尚、全電話機１ａ、１ｎの呼び出しは、全電話機着信通知手段としての参照部５２が行う。
【００４０】
前記第１の実施の形態と同じように、電話機１ａ、１ｂがナンバーディスプレイ対応機であった場合、発信者番号が表示されてしまうため、制御部５は発信者番号を表示しないように電話機１ａ、１ｎを制御する。例えば、制御部５は発信者番号を電話機１に送出しない。
前記呼び出しに応答して、いずれかの電話機１ａ、１ｎ、例えば電話機１ａをオフフックした状態で、情報通信端末１１から暗証番号を入力すると、前記暗証番号はシリアルデータインタフェース部１２を介して、シリアルデータ分析部１３に送られる。参照部５２は、メモリ７に記憶され着信した発信者番号に対応する暗証番号と情報通信端末１１から入力された暗証番号とを照合する。
【００４１】
参照部５２が、メモリ７に記憶され着信した発信者番号に対応する暗証番号と情報通信端末１１から入力された暗証番号とが一致すると判断した場合、制御部５は、認証経路１０を通ってインタフェース部３に通話許可を送信する。これにより、インタフェース部３は、電話機１ａを通話可能に制御し、電話機１ａは通話できるようになる。電話機１ａの代わりに他の電話機１ｎをオフフックして前記動作を行わせた場合には電話機１ｎが通話可能になる。
【００４２】
暗証番号が一致しなかった場合、再度暗証番号を入力するよう促し、予め決められた回数以内に正確な暗証番号を入力出来なかった場合、着信を切断する。
尚、本第２の実施の形態ではインタフェース部のポート番号を使用しないように構成したが、前記第１の実施の形態と同様に、ポート番号を使用することにより、発信者番号及び暗証番号に対応付けたポート番号の電話機のみが通話可能になるように構成してもよい。
【００４３】
以上述べたように、本発明の実施の形態に係る通信制御システムは、複数の電話機が接続される複数のポートを有する電話機接続手段（インタフェース部３）と、前記電話機接続手段の各ポートに接続され通信路を介して通話を行うための複数の電話機１ａ〜１ｎと、発信者番号、暗証番号及び前記ポートの番号を対応付けた識別情報を記憶する識別情報記憶手段（メモリ７）と、着信時に前記通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する許可手段（制御部５）とを備えている。
【００４４】
前記許可手段は、着信時に受信した前記発信者番号に対応付けたポートに接続された電話機に着信を通知する個別電話機着信通知手段（参照部５２）と、前記着信応答時に入力された暗証番号及び着信に応答した前記電話機のポートの番号が、前記識別情報記憶手段に記憶した前記発信者番号に対応付けた暗証番号及びポートの番号に一致するとき、該電話機に通話を許可する通話許可手段（参照部５２）とを備えている。また、前記許可手段は、着信時に前記電話機接続手段の各ポートに接続された全ての電話機に着信を通知する全電話機着信通知手段（参照部５２）と、前記着信応答時に入力された暗証番号及び着信に応答した前記電話機のポートの番号が、前記識別情報記憶手段に記憶され前記発信者番号に対応付けられた暗証番号及びポートの番号に一致するとき、該電話機に通話を許可する通話許可手段（参照部５２）とを備えている。
【００４５】
また、前記着信応答時に入力される暗証番号は、着信に応答する前記電話機から入力されるようにしている。
また、情報通信端末１１を備え、前記着信応答時に入力される暗証番号は、前記情報通信端末から入力されるようにしている。
また、通信路を介して通信を行う複数の電話機１ａ、１ｎと、前記複数の電話機が接続される複数のポートを有する電話機接続手段と、前記通信路を介して受信した発信者番号を記憶する発信者番号記憶手段５３と、識別情報記憶手段と、前記発信者番号記憶手段に記憶した発信者番号、暗証番号及び前記複数の電話機が接続されるポート番号を対応付けた識別情報を記憶する前記識別情報記憶手段に記憶する対応付け手段と、着信時に前記識別情報記憶手段に記憶した識別情報を参照して、通信路を介して受信した発信者番号に対応する暗証番号及びポート番号が、入力された暗証番号及び前記着信に応答する電話機のポート番号とが一致するとき、該電話機に通信を許可する通信許可手段とを備えて成ることを特徴としている。
【００４６】
したがって、着信側に複数の電話機１ａ、１ｎを接続して使用可能にすると共に、簡単な操作で、暗証番号知っている特定の者が電話機による通話を行うことが可能になる。
また、通話中または通話終了後に暗証番号を設定することにより、暗証番号を設定した回線の次からの着信は、暗証番号を入力しないと接続されないため、着信側の通話者を特定することが出来る。
また、回線数は一回線に限らず複数回線設定できたり、また複数台の電話機のなかから特定の電話機のみを呼び出すことがきるという効果を奏する。
【００４７】
また、本発明の実施の形態に係る通信制御装置２は、複数の電話機が接続される複数のポートを有する電話機接続手段と、発信者番号、暗証番号及び前記ポートの番号を対応付けた識別情報を記憶する識別情報記憶手段と、着信時に通信路を介して受信した発信者番号に対応付けて前記識別情報記憶手段に記憶した暗証番号及びポートの番号が、着信応答時に入力された暗証番号及び着信に応答した前記電話機のポートの番号に一致するとき、当該電話機に通話を許可する許可手段とを備えて成ることを特徴としている。
したがって、着信側に複数の電話機１ａ、１ｎを接続して使用可能にすると共に、簡単な操作で、暗証番号知っている特定の者が電話機による通話を行うことが可能になる等の効果を奏する。
【００４８】
【発明の効果】
本発明に係る通信制御システム、通信制御装置によれば、着信側に複数の電話機を接続して使用可能にすると共に、簡単な操作で、特定の者が通信できるように構成することが可能になる。
【図面の簡単な説明】
【図１】  本発明の実施の形態に係る通信制御システムのブロック図である。
【図２】  本発明の第１の実施の形態に係る通信制御システムの処理を示すフローチャートである。
【図３】  本発明の第１の実施の形態に係る通信制御システムの処理を示すフローチャートである。
【図４】  本発明の第２の実施の形態に係る通信制御システムのブロック図である。
【符号の説明】
１ａ、１ｂ・・・電話機
２・・・通信制御装置
３・・・電話機接続手段としてのインタフェース部
４・・・ＰＢ信号インタフェース部
５・・・許可手段としての制御部
６・・・ＩＳＤＮインタフェース部
７・・・識別情報記憶手段を構成するメモリ
８・・・音声経路
１０・・・認証経路
１１・・・情報通信端末
１２・・・シリアルデータインタフェース部
１３・・・シリアルデータ分析部
５１・・・ＰＢ信号分析部
５２・・・個別電話機着信通知手段、全電話機着信通知手段、通話許可手段を構成する参照部
５３・・・発信者番号記憶部
【図１】
0003838927.tif 000002
【図２】
0003838927.tif 000003
【図３】
0003838927.tif 000004
【図４】
0003838927.tif 000005